(57)【特許請求の範囲】
【請求項１】
外部端末との間で相互認証を行って双方向通信の通信リンクを形成し、当該通信リンクを介してデータを送受信する生体情報測定装置であって、
生体情報を測定する測定部と、外部端末との間でデータの送受信を行う通信部と、前記測定部の測定動作および前記通信部の通信動作を制御する制御部と、前記外部端末の１又は複数を特定する認証コードを一時的に記憶する認証コード一次記憶部とを備え、
前記制御部は、
前記通信リンクの形成制御において、認証コードを前記認証コード一次記憶部に一時記憶させ、
双方向通信の通信リンクの形成後、ガイダンス情報を前記外部端末に送信させ、
測定動作中は
生体情報の測定を開始させる指令をトリガとして前記通信リンクを一時解除し、測定動作終了後に一時解除した通信リンクを再形成し、
前記通信リンクの再形成時に、前記一時記憶した認証コードを前記認証コード一次記憶部から読み出し、外部端末との間で相互認証を行ない、
前記再開した通信リンクによる所定の送受信動作が終了した後、通信動作を終了し、記憶している認証コードを消去することを特徴とする生体情報測定装置。
【請求項２】
前記通信リンクは、Bluetooth（登録商標）による通信であり、
前記認証コードは、Bluetooth（登録商標）によるＰＩＮコードであることを特徴とする、請求項１に記載の生体情報測定装置。
【請求項３】
生体情報を測定する測定部と、外部端末との間でデータの送受信を行う通信部と、前記測定部の測定動作および前記通信部の通信動作を制御する制御部とを備え、外部端末との間において相互認証を行って双方向通信の通信リンクを形成し、当該通信リンクを介してデータを送受信する生体情報測定装置の制御方法であって、
前記制御部は、
前記通信部による認証コードを用いた相互認証による双方向通信の通信リンクの形成制御を行った後、
前記測定部の測定を開始させる動作制御、
前記測定動作開始前に行う前記通信部の通信を停止させて通信リンクを一時解除する動作制御、
前記測定動作終了後に行う前記通信部の通信を再開させる動作制御、
の各動作制御を順に行い、
前記通信リンクの形成制御において、
認証コードを一時記憶し、
前記測定動作終了後において前記一時記憶した認証コードを読み出し、
読み出した認証コードを用いて外部端末との間で相互認証を行い、
前記再開させる動作制御において、
外部端末との間で相互認証による双方向通信の通信リンクを再度行って通信リンクを再形成させ、
前記再開した通信リンクによる所定の送受信動作が終了した後、
通信動作を終了し、
記憶している認証コードを消去することを特徴とする生体情報測定装置の制御方法。
【発明の詳細な説明】
【技術分野】
【０００１】
本発明は生体情報の測定に関し、測定した血圧等の生体情報を携帯電話やＰＣ等の外部端末に送信する生体情報測定装置およびその制御方法に関する。
【背景技術】
【０００２】
血圧計や心拍計等の生体情報測定装置で測定した生体情報を、この生体情報測定装置と別に設けたデータ収集装置に送信し、データ収集装置においてデータ表示、データ解析、データ保存等のデータ処理を行う技術として、生体情報装置からデータ収集装置に向けての送信を微弱電波通信や赤外線通信による単方向通信で行う方法が一般的である。
【０００３】
図１０は、生体情報測定装置から外部端末に向けて単方向通信によって測定結果を送信する構成例を示す図である。
【０００４】
図１０に示す構成例において、生体情報測定装置１１０Ａは測定部１１５Ａを備え、この測定部１１５Ａで測定した生体情報を、演算／制御部１１２Ａの制御によって送信回路１１１Ａから外部端末１２０Ａに向けて送信される。
【０００５】
この構成では、生体情報測定装置１１０Ａと外部端末１２０Ａとの間で単方向通信を形成するために、外部端末１２０Ａ側に専用無線のための受信回路１３０Ａを外付けユニットとして付加している。外部端末１２０Ａは、生体情報測定装置１１０Ａから送信された測定データをデータ収集するデータ収集装置であって、制御／解析／保存部１２２Ａや表示／報知部１２３Ａ等で構成され、例えばＰＣや携帯電話の形態である。
【０００６】
図１１は、生体情報測定装置から外部端末に単方向通信で測定データを送信する送信状態を説明するための状態図である。
【０００７】
生体情報測定装置から外部端末に向けて単方向通信で送信を行う場合には、はじめに導入初期状態において、生体情報測定装置と外部端末との間で通信を確立するためにセットアップを行う。
【０００８】
セットアップで通信を確立した後、通常測定動作において、生体情報測定装置から外部端末に向けて機器情報や個人情報を送信して外部端末に表示させた後、測定を行う。生体情報測定装置が測定中の間は、外部端末は測定データ待ちの状態にある。
【０００９】
生体情報測定装置は測定が終了した後に測定結果を外部端末に送信し、外部端末は受信した測定結果を表示する。
【００１０】
この単方向通信では、生体情報測定装置が測定中にあるときには、送信動作は停止している。
【００１１】
上記した単方向通信に対して双方向通信が知られている。近距離通信を双方向通信で行う手法として、Bluetooth（登録商標）無線通信が知られている。Bluetooth（登録商標）無線通信は、2.4GHz帯の双方向無線であり、Bluetooth（登録商標）の無線規格に準拠した、携帯電話等の機器間毎に通信リンクを確立することができるという特徴を有している。また、セキュリティを確保するために、接続時にＰＩＮコードと呼ばれる認証コードを取り交わすペアリング認証が必要としている他、混信や盗聴を防ぐ目的から、周波数ホッピングと呼ばれる手法によって常に周波数を変更しながら通信を行っている。
【００１２】
なお、Bluetooth（登録商標）を用いて双方向通信は、例えば特許文献１など多数知られている。また、間欠的な双方向通信において、電池状態が所定状態を検出した際に、無線通信機能以外の所定の負荷部も駆動を禁止することで、無線通信品質を維持することが知られている（特許文献２）。
【特許文献１】特開２００４−３２９３００号公報（段落０００５，００３３，００３４等）
【特許文献２】国際公開番号  ＷＯ  ０２／０７３７７０Ａ１（第４欄第８行−第１７行）
【発明の開示】
【発明が解決しようとする課題】
【００１３】
生体情報測定装置において、単に測定結果を外部端末に送信するのみである場合には、従来から用いられている単方向通信で充分である。しかしながら、生体情報測定装置に高機能化や高精度化に伴って使用方法が複雑化し、また、利用者が運動しながらあるいは移動しながら生体情報を測定すると共に、測定結果を身体に装着した携帯自在の外部端末によって確認するといった使用形態の変化などから、生体情報測定装置から外部端末に向かう単方向通信ではなく、外部端末から生体情報測定装置に向かう通信も可能とした双方向通信が求められている。この双方向通信によれば、外部端末から生体情報測定装置に向けた利用者に係わる、例えば、年齢、身長、体重等の身体情報を送信することができ、生体情報の測定を多機能化することが可能となる他、利用者の測定データの管理も容易となる。
【００１４】
このような双方向通信を生体情報測定装置に適用する際には、通信リンクを確立する上で２通りのリンク方法が考えられる。一つは、生体情報を測定した後に、双方向通信の無線通信リンクを確立するリンク方法であり、他方は、生体情報を測定する前に双方向通信の無線通信リンクを確立しておく方法である。
【００１５】
生体情報測定では、測定前に利用者に測定方法や測定情報測定装置の使用方法を案内する必要があるため、上記した２通りのリンク方法の内、生体情報を測定する前に双方向通信の無線通信リンクを確立しておく方法が好適である。
【００１６】
図１２は、生体情報測定装置において、外部端末との間の通信を双方向通信で行う場合の構成例を示している。
【００１７】
図１２に示す構成例において、生体情報測定装置１１０Ｂは測定部１１５Ｂを備え、この測定部１１５Ｂで測定した生体情報を、演算／制御部１１２Ｂの制御によって通信部１１１Ｂから外部端末１２０Ｂに向けて送信される。
【００１８】
この構成では、生体情報測定装置１１０Ｂと外部端末１２０Ｂとの間で双方向通信を形成するために、外部端末１２０Ｂは双方向通信の機能を有する通信部１２１Ｂを備えている。外部端末１２０Ｂは、生体情報測定装置１１０Ａから送信された測定データをデータ収集するデータ収集装置であって、通信部１２１Ｂの他、制御／解析／保存部１２２Ｂや表示／報知部１２３Ｂ等を備え、例えば双方向通信の機能を組み込ませることによってＰＣや携帯電話の形態で構成することができる。
【００１９】
図１３は、生体情報測定装置と外部端末との間を双方向通信によって送受信する状態を説明するための状態図である。
【００２０】
Bluetooth（登録商標）を用いた双方向通信では、はじめに認証コードを用いてペアリング認証動作を行って通信リンクを確立させた後、生体情報測定装置から外部端末に向けて機器情報や個人情報を送信して外部端末に表示させた後、外部端末からの測定開始指示に基づいて測定を開始する。生体情報測定装置が測定中の間は、外部端末は測定データ待ちの状態にある。
【００２１】
生体情報測定装置は測定が終了した後に測定結果を外部端末に送信し、外部端末は受信した測定結果を表示する。測定結果の表示が終了した後、ペアリングを解除して双方向通信を終了する。
【００２２】
この双方向通信では、生体情報測定装置が測定中にあいても、前記したように、混信や盗聴を防ぐために、周波数ホッピングによって常に周波数を変更しながら通信を行っている。この周波数ホッピングでは、例えば１６００回／秒の周期で電波の送受信が行われている。
【００２３】
上記した生体情報測定装置と外部端末との間を双方向通信で行う構成では、生体情報測定装置が測定と通信との両動作を同時に行うことにより、測定中の通信によって発生するノイズが測定部に影響を与える点、および測定動作と通信動作の両動作を行うために大きな電力を要する点で問題がある。
【００２４】
Bluetooth（登録商標）を用いた双方向通信では、測定中においてもホッピングによって2.4GHzという高周波帯域の通信が行われている。そのため、この高周波帯域は測定部のセンサ部に対してはノイズの要因となる。一般に、ノイズの影響を低減させる手法として電磁界シールドで覆うことが知られているが、生体情報測定装置の測定部が備えるセンサ部は、生体との接触が不可避であるため、電磁界シールドによってセンサ部を完全に覆うことが難しく、隙間から侵入するノイズを避けることは困難である。例えば、生体情報として血圧を測定する場合には、腕等の身体をカフで圧迫する必要からカフに空気を供給する空気路が必要であり、センサ部を電磁界シールドで完全に覆うことは困難である。
【００２５】
また、Bluetooth（登録商標）を用いた双方向通信では、通信のために例えば40〜100mAの消費電流を要する。生体情報測定装置では、この通信に要する消費電流に加えて、生体情報を測定するために測定部を駆動するための駆動電流が必要である。例えば、血圧を測定する場合には、カフに空気を供給するためにポンプを駆動する必要がある。したがって、双方向通信を行う生体情報測定装置では、測定動作と通信動作の両動作を行うために大きな電力を要する。
【００２６】
なお、この特許文献１では、電力消費を抑制するために、リアルタイム性が求められる場合には通信周期を短くし、リアルタイム性が求められない場合には通信周期を長くして、省電力モードにおける通信周期を設定する点が記載されている。
【００２７】
そこで、本発明は従来の課題を解決し、双方向通信を行う生体情報測定装置において、測定動作と通信動作の両動作を行うことによるノイズの発生および消費電力の増大の課題を解消することを目的とする。
【００２８】
本発明は、上記の課題を解決するために、双方向通信において、生体情報測定装置が測定を行うときには通信を停止して測定のみを行う構成とする。これによって測定中におけるノイズの発生を防ぐと共に、通信に要する電力を不要とすることができる。
【００２９】
この本発明の構成を双方向通信に適用した際には、双方向通信に伴う課題が生じる。双方向通信では、はじめに認証コードを用いてセキュリティを確保した後、共通キーを形成して通信リンクを形成している。
【００３０】
双方向通信では、通常、通信リンクが形成された後は、データの送受信を行わない待機状態であっても形成された通信リンクを解除することなく維持し、通信を終了する時点で通信リンクを解除している。通信リンクを解除した後は、再度通信リンクの形成を行うことで双方向通信を行っている。このように、双方向通信は、常に通信リンクを維持している。
【００３１】
このような、双方向通信は常に通信状態を維持するという特性を有しているため、本発明の測定中に通信を停止させる構成とは相容れないことになる。生体情報測定装置において、測定中に通信を停止させる構成とするには、双方向通信において測定前に通信リンクを一旦解除し、測定後に通信リンクを再開させる必要がある。通信リンクは、通常、通信リンクが形成された後では、認証コードは消去され、共通キーを用いて通信リンクの形成が維持されている。なお、Bluetooth（登録商標）を用いた双方向通信では、この共通コードはリンクキーが用いられている。
【００３２】
したがって、双方向通信において測定前に通信リンクを一旦解除し、測定後に通信リンクを再開させるには、この共通コードを記憶しておき、通信リンクを再開する際に共通コードを読み出すことによって再度通信リンクを形成することが考えられる。
【００３３】
しかしながら、この共通コードを用いた通信リンクの再開には以下のような問題がある。図１４は生体情報測定装置と外部端末との間を双方向通信で行う構成を説明するための図であり、共通キー（ここではリンクキー）を一時記憶することで通信リンクの一時解除と再開を行う場合を示している。
【００３４】
図１４（Ａ）は、通信リンクが成立して状態を示している。この状態では、生体情報測定装置Ａと外部端末ａとは共通するリンクキーによって通信リンクを形成し、リンクキーを一時的に記憶する。
【００３５】
図１４（Ｂ）は、測定中の状態を示している。生体情報測定装置Ａにおいて測定を行っている間は、通信リンクを停止させることによってノイズの影響を回避する。
【００３６】
図１４（Ｃ）は、通信リンクを再開した場合の各状態を示している。
【００３７】
図１４（c1）は、外部端末ａにリンクキーを一時記憶する機能を有している場合である。この場合には、外部端末ａが記憶するリンクキーを用いることで通信リンクを再開することができる。
【００３８】
しかしながら、外部端末ａ側では、生体情報測定装置Ａが測定を行っている間は、測定と動作上は切り離された状態にあるため、利用者の操作あるいは外部端末ａの機能等によって電源がOFFされる場合がある（図１４(c2)）。このように、測定中に外部端末ａの電源がOFF状態となると、外部端末ａがリンクキーを一時記憶する機能を有している場合であっても、リンクキーは消去される。この場合には、生体情報測定装置Ａと外部端末ａとでは、共通するリンクキーが存在しないため、通信リンクが不成立となる。
【００３９】
また、ＰＣや携帯電話等の外部端末では、必ずしもリンクキーを一時記憶する機能を有するとは限らない（図１４(c3)）。このように、外部端末ａがリンクキーを一時記憶する機能を有していない場合には、リンクキーを一時記憶することができない。この場合には、生体情報測定装置Ａと外部端末ａとでは、共通するリンクキーが存在しないため、通信リンクが不成立となる。
【００４０】
また、外部端末ａがリンクキーを一時記憶する機能を有している場合であっても、通信リンクを再開する際に、外部端末ａが再開を行う前に別の外部端末ｂが先に通信リンクを形成する場合がある。これは、生体情報測定装置Ａは、外部端末ａと外部端末ｂとを識別することはできず、外部端末ｂの通信を制限することはできないため、外部端末ｂが外部端末ａよりも先に通信リンクの形成を要求した場合には、外部端末ｂとの間で先に通信リンクが形成される（図１４(c4)）。
【００４１】
このように、外部端末ｂとの間で先に通信リンクが形成された場合には、生体情報測定装置Ａが測定した外部端末ａに送るべき測定データが、外部端末ｂに送信される事態が生じ、測定データが対象としない外部端末に送信されるという問題が生じることになる。
【００４２】
上記図１４(C2)〜(C4)に示したように、通信リンクで用いられる共通コード（リンクキー）を用いて通信リンクの一時解除と再開を行う構成では、通信リンクの形成が不成立となる場合があるという問題がある。
【００４３】
そこで、双方向通信を行う生体情報測定装置において、測定動作と通信動作の両動作を行うことによるノイズの発生および消費電力の増大の課題を解決するために、生体情報測定装置が測定を行うときに通信を停止して測定のみを行う構成において、通信リンクの形成を不成立させることなく、通信リンクの一時解除と再開を行う構成を提供することを目的とする。
【課題を解決するための手段】
【００４４】
本発明は、外部端末との間において相互認証を行って双方向通信の通信リンクを形成し、この通信リンクを介してデータを送受信する生体情報測定装置であって、双方向通信において、双方向通信の通信リンクの形成後、測定動作中は通信リンクを一時解除し、測定動作終了後に一時解除した通信リンクを再形成し、生体情報測定装置が測定を行うときには通信を停止して測定のみを行う構成とする。
【００４５】
これによって測定中におけるノイズの発生を防ぐと共に、通信に要する電力を不要とする。
【００４６】
また、本発明はさらに詳細な構成において、生体情報測定装置の態様、および生体情報測定装置の制御方法の態様とすることができる。
【００４７】
本発明の生体情報測定装置は、外部端末との間において相互認証を行って双方向通信の通信リンクを形成し、当該通信リンクを介してデータを送受信する生体情報測定装置であって、生体情報を測定する測定部と、外部端末との間でデータの送受信を行う通信部と、前記測定部の測定動作および前記通信部の通信動作を制御する制御部とを備える。
【００４８】
制御部は、通信部による相互認証による双方向通信の通信リンクの形成制御を行った後に以下の各動作制御を順に行い、この動作制御の内、再開させる動作制御において、外部端末との間で相互認証による双方向通信の通信リンクを再度行って通信リンクを再形成させる。
【００４９】
通信リンクの形成制御を行った後において順に行う各動作制御は、測定部の測定を開始させる動作制御、前記測定動作開始前に行う前記通信部の通信を停止させて通信リンクを一時解除する動作制御、および測定動作終了後に行う前記通信部の通信を再開させる動作制御である。
【００５０】
認証コードを用いた相互認証は、認証コードの記憶手段への記憶を要することを要さない。そのため、双方向通信の通信リンクの形成を、認証コードを用いた外部端末との間の相互認証を行うことによって、外部端末側に共通キー（リンクキー）を一時記憶する機能を設けることなく通信リンクの再形成を行うことができる。また、測定中に外部端末の電源のON状態およびOFF状態に係わらず、認証コードを用いた外部端末との間の相互認証を行うことができる。
【００５１】
また、生体情報測定装置は、個人を特定する認証コードを一時的に記憶する認証コード一時記憶部を備える。
【００５２】
制御部は、通信リンクの形成制御において、認証コードを認証コード一時記憶部に記憶し、測定動作終了後において、認証コード一時記憶部から認証コードを読み出し、読み出した認証コードを用いて外部端末との間で相互認証を行なう。
【００５３】
制御部は、再開した通信リンクによる所定の送受信動作が終了した後、通信部の通信動作を終了させ、認証コード一時記憶部に記憶している認証コードを消去する。
【００５４】
制御部は、通信リンクが形成された後、通信部を制御して、ガイダンス情報を外部端末に送信させる。ガイダンス情報としては、例えば、生体情報測定によって測定する際に利用者が行う操作内容とすることができる。
【００５５】
制御部は、測定部の測定を開始させる指令をトリガとして通信部を制御し、通信部の通信を停止させる。
【００５６】
生体情報は血圧値とすることができ、測定部は血圧値を測定する血圧計とすることができる。
【００５７】
また、通信リンクはBluetooth（登録商標）による通信とし、認証コードはBluetooth（登録商標）におけるＰＩＮコードとすることができる。
【００５８】
本発明の生体情報測定装置によれば、生体情報の測定中に通信による生じるノイズの影響を回避することができる。
【００５９】
また、生体情報測定装置によれば、測定動作と通信動作とをそれぞれ独立して行うことができるため、同時に動作することによる消費電力の増加を抑制することができ、生体情報測定装置に用いる電源の容量を下げることができ、小型化の電源とすることができる。
【００６０】
また、生体情報測定装置によれば、通信リンクの再形成において、通信リンクに用いる共通コードを記憶する代わりに、利用者を特定する認証コードを用いることによって、外部端末に特殊な機能に設けることなく、一般性の高い外部端末との間で通信リンクを形成することができる。
【発明の効果】
【００６１】
本発明の生体情報測定装置および生体情報測定装置の制御方法によれば、測定動作と通信動作の両動作を行うことによるノイズの発生および消費電力の増大を解消することができる。
【００６２】
また、本発明の生体情報測定装置および生体情報測定装置の制御方法によれば、生体情報測定装置が測定を行うときに通信を停止して測定のみを行う構成において、通信リンクの形成を不成立させることなく、通信リンクの一時解除と再開を行う構成を提供することができる。
【発明を実施するための最良の形態】
【００６３】
以下、本発明の生体情報測定装置について図を用いて詳細に説明する。
【００６４】
以下、本発明の生体情報測定装置を使用する形態例を図１を用いて説明し、本発明の生体情報測定装置の構成例について、概略構成を図２を用いて説明し、血圧計に適用した場合の構成例について図３を用いて説明し、本発明の生体情報測定装置の動作例について、図４，５のフローチャート、図６〜図８の状態図を用いて説明し、生体情報測定装置と外部端末との間を双方向通信で行う場合の通信リンクを図９を用いて説明する。
【００６５】
[生体情報測定装置を使用する状態例：図１]
図１は、本発明の生体情報測定装置を使用する形態例を示している。
【００６６】
血圧計、心拍計、体脂肪率計、骨密度計など、生体に係わる種々の生体情報を測定する測定装置の使用形態として、これらの測定装置を公共の場所や自宅、勤務先等の各所に配置し、様々な場所で生体情報を測定し、測定データを各自が携帯する携帯電話等の外部端末にデータ収集する使用形態がある。この使用形態によれば、種々の場所において生体情報を収集することができるため、自己の健康をきめ細かく管理することが可能となる。
【００６７】
このような使用形態では、生体情報測定装置Ａ〜Ｍ側から見ると、外部端末ａ〜ｎとの接続は１対１の接続ではなく不特定多数の接続となる。また外部端末ａ〜ｎから見た場合においても、生体情報測定装置Ａ〜Ｍ側との接続は、生体情報測定装置Ａ〜Ｍ側から接続する生体情報測定装置を選択するものの固定した接続関係ではない。
【００６８】
したがって、生体情報測定装置Ａ〜Ｍ側と外部端末ａ〜ｎとの接続関係は、それぞれ１対１で固定された対応関係でないため、接続する度に相互に認証を行う必要がある。この相互認証は、外部端末あるいは利用者に対して認証コードを定め、通信リンクを形成しようとする生体情報測定装置と外部端末に対して同じ認証コードを入力することで設定することができる。
【００６９】
[装置概略説明：図２]
図２は、本発明の生体情報測定装置の概略構成を説明するための図である。
【００７０】
図２に示す構成例において、生体情報測定装置１は測定部１５を備え、この測定部１５で測定した生体情報を、演算／制御部１２の制御によって通信部１１から外部端末２に向けて送信される。
【００７１】
この構成では、生体情報測定装置１と外部端末２との間で双方向通信を形成するために、外部端末２は双方向通信の機能を有する通信部２１を備え、生体情報測定装置１の通信部１１との間で双方向通信を行う。
【００７２】
測定部１５は、生体情報を測定するためのセンサを含む検出部１５ｂ、検出部１５ｂを駆動する駆動部１５ａ、および検出部１５ｂで検出した検出信号について信号増幅やノイズ除去等の各種信号処理を施す信号処理部１５ｃを備える。
【００７３】
演算／制御部１２は、測定部１５の駆動部１５ａに駆動信号を出力して駆動制御を行う他、信号処理部１５ｃから得られた検出信号を演算処理することによって、生体情報を算出する。例えば、血圧計の場合には血圧値を算出し、心拍計の場合には心拍数を算出する。算された生体情報は、通信部１１から外部端末２に向けて送信される。
【００７４】
また、演算／制御部１２には、通信部１１および測定部１５の他に、表示／報知部１３および操作／入力部１４が接続されている。表示／報知部１３は、演算／制御部１２で算出した生体情報を表示する他、各種の情報を表示し、また、必要に応じては報知を行う。表示内容は、例えば、生体情報を測定するために利用者が行う操作を指示する操作内容、生体情報に係わる健康状態等の他、任意の内容することができる。また、報知内容は、例えば、測定の中止等を指示するものなどがある。なお、これら表示／報知部１３に表示あるいは報知する内容は、外部端末２が備える表示／報知部２３に表示させてもよい。
【００７５】
本発明の通信部１１には、双方向通信において、外部端末２との間に通信リンクを形成するためのペアリング制御部１６と、通信リンクを一時停止した際に通信リンクを再開させるために認証コードを一時的に記憶する認証コード一時記憶部１７を備える。
【００７６】
また、通信部１１と測定部１５とは、演算／制御部１２によって連携して駆動制御され、測定部１５による測定時には通信部１１の通信リンクを一時解除し、通信リンクの周波数信号が測定部１５に対してノイズとならないようにする。また、測定部１５の測定が終了した後は通信部１１の通信リンクを再開させ、通信リンクを介して外部端末２に測定データを送信する。
【００７７】
演算／制御部１２は、測定部１５の開始動作と通信部１１の停止動作を同期させる制御を行う他、測定部１５の停止動作と通信部１１の再開動作を同期させる制御を行う。測定部１５の開始動作と通信部１１の停止動作を同期させる制御は、測定部の測定を開始させる指令をトリガとして通信部１１の停止動作を開始することで行うことができる。また、測定部１５の停止動作と通信部１１の再開動作を同期させる制御は、測定部の測定を終了した信号あるいは検出信号の取得をトリガとして通信部１１の再開動作を開始することで行うことができる。
【００７８】
ペアリング制御部１６は、認証コードを用いて生体情報測定装置１と外部端末２との間のペアリング認証を行った後、共通コード（例えばリンクキー）を形成して通信リンクを形成する。なお、Bluetooth（登録商標）による通信では、認証コードを用いてペアリング認証を行った後、初期キーの生成を経てリンクキー等の形成を行っているが、ここでは詳細な説明は省略する。なお、認証コード一時記憶部１７の構成は、通常のBluetooth（登録商標）による通信機能が備える構成ではなく、本発明が固有に備える特徴的な構成である。
【００７９】
なお、通信部１１および通信部２１は、Bluetooth（登録商標）による双方向通信を行う場合には、Bluetooth（登録商標）機能を組み込んだBluetooth（登録商標）モジュールを用いることができる。
【００８０】
外部端末２は、生体情報測定装置１から送信された測定データをデータ収集するデータ収集装置であって、通信部２１の他、制御／解析／保存部２２や表示／報知部２３等を備え、例えば双方向通信の機能を組み込ませることによってＰＣや携帯電話の形態で構成することができる。
【００８１】
制御／解析／保存部２２は、通信部２１で受信した信号を解析して生体情報を表示／報知部２３に表示させる他、生体情報を保持することができる。保持した生体情報は、図示しない出力ポートから出力することができる。この保持部によれば、測定して得られた生体情報をＰＣ等に出力し、ＰＣ側でデータ管理させることができる。
【００８２】
なお、認証コードは、生体情報測定装置１では操作／入力部１４から入力することができ、また、外部端末２では、図示しない入力部から入力する他に、外部端末２内の記憶手段（図示していない）に記憶させておいてもよい。
【００８３】
[血圧計の概略説明：図３]
図３に示す構成は、本発明の生体情報測定装置を血圧計に適用した場合の構成例を示している。
【００８４】
なお、図３に示す血圧計１ｍの構成例は、図２に示す構成例の測定部１５の構成が血圧測定部１５ｍである点で相違し、その他の構成は同様とすることができる。図３では、血圧測定を行う血圧測定部１５ｍについてのみ説明し、その他の構成については説明を省略する。なお、図３に示す各構成に付した符号は、図１２に示した各構成と共通する構成については同符号とし“ｍ”を付加して示している。
【００８５】
血圧計１ｍが備える血圧測定部１５ｍは、血圧を測定する圧力センサ１５mb、圧力センサ１５mbで血圧測定を行うための駆動部１５ma、および圧力センサ１５mbで検出した検出信号について信号増幅やノイズ除去等の各種信号処理を施す信号処理部１５mcを備え、駆動部１５maは身体を加圧するカフ１５ma-2と、このカフ１５ma-2に空気を供給する加圧ポンプ１５ma-1とを備える。
【００８６】
加圧ポンプ１５ma-1は、演算／制御部１２ｍの制御信号によって駆動制御される。演算／制御部１２ｍの制御信号は、操作／入力部１４ｍによる操作開始指令、あるいは操作開始指令で開始する測定プログラムに従って形成される。
【００８７】
通信部１１ｍと血圧測定部１５ｍとは、演算／制御部１２ｍによって連携して駆動制御され、血圧測定部１５ｍによる血圧測定時には通信部１１ｍの通信リンクを一時解除し、通信リンクの周波数信号が圧力センサ１５mbに対してノイズとならないようにする。また、血圧測定部１５ｍの測定が終了した後は通信部１１ｍの通信リンクを再開させ、通信リンクを介して外部端末２に測定データを送信する。
【００８８】
演算／制御部１２ｍは、血圧測定部１５ｍの開始動作と通信部１１の停止動作を同期させる制御を行う他、血圧測定部１５ｍの停止動作と通信部１１ｍの再開動作を同期させる制御を行う。血圧測定部１５ｍの開始動作と通信部１１ｍの停止動作を同期させる制御は、血圧測定部の測定を開始させる指令、例えば加圧ポンプ１５ma-1を駆動する駆動信号とトリガとして通信部１１ｍの停止動作を開始することで行うことができる。また、血圧測定部１５ｍの停止動作と通信部１１ｍの再開動作を同期させる制御は、信号処理部１５mcからの検出信号の取得をトリガとして通信部１１ｍの再開動作を開始することで行うことができる。
【００８９】
以下、本発明の生体情報測定装置において、測定動作中には通信を解除し、測定が終了した後に解除した通信を再開する動作について、Bluetooth（登録商標）による双方向通信を例として、図４，５のフローチャート、図６，図７，図８の状態図を用いて説明する。なお、図６，図７は生体情報測定装置と外部端末との間を双方向通信によって送受信する状態を説明するための状態図であり、図７はより詳細な状態を示している。図８は通信フェーズ、同期確立フェーズ、待ち受けフェーズの各フェーズ状態を示している。
【００９０】
双方向通信を行う場合には、生体情報測定装置と外部端末との間で通信リンクを形成する必要がある。通信リンクを形成するために、問い合わせおよび呼び出しを行った後、生体情報測定装置と外部端末は共に共通の認証コード（ＰＩＮコード）を入力する。この認証コードは、利用者あるいは使用する外部端末に固有に定められたコードであり、生体情報測定装置によって生体情報を測定する際に、生体情報測定装置および外部端末の両装置に入力することによって認証確認を行う。なお、外部端末側では、利用する毎に認証コードを入力する他、外部端末が備える記憶手段内に予め記憶させておくこともできる(S1)。
【００９１】
生体情報測定装置は、入力された認証コードを用いてペアリング認証の認証処理を行う(S2)。この認証処理では、例えば、両装置で認証コードと乱数を用いて初期キー等のキーコードを生成し、これらのキーコードを照合することで行うことができる。認証処理の後、通信リンクに使用する共通コード（例えばリンクキー）を生成し(S3)、通信リンクを確立する（S4）。
【００９２】
なお、認証処理、共通コードの生成、および通信リンクの確立は、Bluetooth（登録商標）による双方向通信等において知られているため、ここでの詳細な説明は省略する。
【００９３】
生体情報測定装置は、通常は通信リンクの生成過程において認証コード（ＰＩＮコード）を消去し記憶することはしない。本発明は、この認証コード（ＰＩＮコード）を認証コード一時記憶部に記憶し、通信リンクの再開時に使用する(S5)。
【００９４】
通信リンクが形成された後、生体情報測定装置から外部端末に機器情報、個人情報、ガイダンス等の各種情報が送信される。機器情報は生体情報測定装置に係わる情報であって、例えば測定を行う生体情報の内容等とすることができる。個人情報は、例えば利用者の過去の生体情報の測定記録とすることができ、生体情報測定装置に記録された情報を読み出すことで送信することができる。ガイダンスは、利用者が生体情報測定装置を用いて生体情報を測定する際の操作を案内する操作手順とすることができる。送信するデータは音声データや画像データとすることができる。
【００９５】
外部端末は、生体情報測定装置から受信した情報を表示する。ガイダンスを画像や音声で表示することによって、利用者の生体情報測定の操作手順を案内する(S6)。
【００９６】
利用者は、表示されたガイダンスにしたがって生体情報測定装置を操作して測定を開始始する。測定を開始する開始指令は、外部端末から生体情報測定装置に向けて送信する他、生体情報測定装置を直接操作してもよい。
【００９７】
生体情報測定装置は、測定開始指令を検出すると(S7)、外部端末とのペアリングを一時停止して通信リンクを解除する(S8)。この通信リンクの解除において、例えば通信部の電源をOFFとすることで送信を停止し、ノイズの要因となる周波数信号の発生を停止する(S9)。
【００９８】
これによって、生体情報測定装置と外部端末との間は停波状態となる。図６，７において、生体情報測定装置と外部端末との間に示す矢印は両者の間で行う送受信状態を示し、Bluetooth（登録商標）による双方向通信では周波数ホッピングによって所定周波数範囲内で周波数を変更しながら送受信を行って混信や盗聴を防いでいる。
【００９９】
生体情報測定装置は測定を開始する（S10）。停波中には、生体情報測定装置と外部端末との間で送受信は行われないため、送受信で発生する周波数信号が測定部に侵入してノイズとなることを防ぐことができる。
【０１００】
生体情報測定装置は、測定が終了すると(S11)、測定結果を取得して表示手段に表示する(S12)。停波中には、外部端末は測定データの受信を待つ測定データ待ちの状態にあり、外部端末の電源を停止させてもよい。
【０１０１】
生体情報測定装置は、測定が終了した後、通信部の電源をONにする(S13)。認証コード一時記憶部に記憶しておいた認証コード（ＰＩＮコード）を読み出し（S14）、ペアリング認証を行い(S15)、共通コードを生成して（S16）、通信リンクを確立する(S17)。
【０１０２】
通信リンクが再開された後、生体情報測定装置は外部端末に向けて測定結果を送信する(S18)。外部端末は、受信した測定結果を表示部に表示する。表示部への表示は、測定結果の他、測定結果を解析した解析内容や、種々のガイダンスを表示することができる。
【０１０３】
生体情報測定装置は、通信リンクを停止し（S19）、ペアリングを完全に解除し(S20)、認証コード一時記憶部に記憶しておいた認証コード（ＰＩＮコード）を消去し(S21)、装置の電源をOFFとして終了する(S22)。
【０１０４】
図８の状態図において、本発明は通信接続フェーズにおいて、最初のペアリング認証で通常は廃棄してしまう認証コードを記憶しておき、中断後の再接続において記憶しておいた認証コードを用いることで通信リンクを生成する。
【０１０５】
図９は生体情報測定装置と外部端末との間を双方向通信で行う構成を説明するための図であり、認証コード（ＰＩＮコード）を一時記憶することで通信リンクの一時解除と再開を行う場合を示している。
【０１０６】
図９（Ａ）は、通信リンクが成立した状態を示している。この状態では、生体情報測定装置Ａと外部端末ａとは共通するリンクキーによって通信リンクを形成し、リンクキーの作成に当たってペアリング認証に用いた認証コード（ＰＩＮコード）を一時的に記憶する。
【０１０７】
図９（Ｂ）は、測定中の状態を示している。生体情報測定装置Ａにおいて測定を行っている間は、通信リンクを停止させることによってノイズの影響を回避する。
【０１０８】
図９（Ｃ）は、通信リンクを再開した場合の各状態を示している。
【０１０９】
図９（c1）は、生体情報測定装置Ａに認証コード（ＰＩＮコード）を一時記憶し、この認証コードを用いることで通信リンクを再開する。
【０１１０】
この通信リンクの再開時に、外部端末ａ以外の外部端末ｂが生体情報測定装置Ａとの間で通信リンクの生成を試みた場合には、生体情報測定装置Ａが記憶する認証コード（ＰＩＮコード）と外部端末ｂに入力される認証コード（ＰＩＮコード）とは一致していないため、通信リンクは不成立となる（図９(c2)）。
【０１１１】
また、生体情報測定装置と外部端末ｂとの間において、通常のペアリング認証を経て通信リンクが形成された場合であっても、生体情報測定装置が記憶する認証コード（ＰＩＮコード）を用いて外部端末ｂと照合することで、外部端末ａでないことが確認されるため、外部端末ａに送信すべき測定データを誤って外部端末ｂに送信することを防ぐことができる。
【０１１２】
なお、上記説明では、双方向通信としてBluetooth（登録商標）による双方向通信の例を示しているが、本発明はこの通信方法に限られるものではない。
【産業上の利用可能性】
【０１１３】
本発明の生体情報測定装置は、心拍計や血圧計に適用する他、脈波を用いる身体機能測定装置に適応することができる。
【０１１４】
また、本発明の生体情報測定装置は、生体情報に限らず、任意の測定に適用することができる。
【図面の簡単な説明】
【０１１５】
【図１】本発明の生体情報測定装置を使用する形態例を示す図である。
【図２】本発明の生体情報測定装置の概略構成を説明するための図である。
【図３】本発明の生体情報測定装置を血圧計に適用した場合の構成例を示す図である。
【図４】本発明の生体情報測定装置の動作を説明するためのフローチャートである。
【図５】本発明の生体情報測定装置の動作を説明するためのフローチャートである。
【図６】本発明の生体情報測定装置と外部端末との間を双方向通信によって送受信する状態を説明するための状態図である。
【図７】本発明の生体情報測定装置と外部端末との間を双方向通信によって送受信する状態を説明するための状態図である。
【図８】本発明の生体情報測定装置の通信フェーズ、同期確立フェーズ、待ち受けフェーズの各フェーズ状態を示す図である。
【図９】本発明の生体情報測定装置と外部端末との間を双方向通信で行う構成を説明するための図である。
【図１０】生体情報測定装置から外部端末に向けて単方向通信によって測定結果を送信する構成例を示す図である。
【図１１】生体情報測定装置から外部端末に単方向通信で測定データを送信する送信状態を説明するための状態図である。
【図１２】生体情報測定装置において外部端末との間の通信を双方向通信で行う場合の構成例を示す図である。
【図１３】生体情報測定装置と外部端末との間を双方向通信によって送受信する状態を説明するための状態図である。
【図１４】生体情報測定装置と外部端末との間を双方向通信で行う構成を説明するための図である。
【符号の説明】
【０１１６】
１ 生体情報測定装置
１ｍ 血圧計
２ 外部端末
１１ 通信部
１１ｍ 通信部
１２ 制御部
１２ｍ 制御部
１３ 報知部
１４ 入力部
１４ｍ 入力部
１５ma-2 カフ
１５ma-1 加圧ポンプ
１５ 測定部
１５ma 駆動部
１５mb 圧力センサ
１５mc 信号処理部
１５ａ 駆動部
１５ｂ 検出部
１５ｃ 信号処理部
１５ｍ 血圧測定部
１６ ペアリング制御部
１７ 認証コード一時記憶部
２１ 通信部
２２ 制御／解析／保存部
２３ 表示／報知部
１１０Ａ 生体情報測定装置
１１０Ｂ 生体情報測定装置
１１１Ａ 送信回路
１１１Ｂ 通信部
１１２Ａ 制御部
１１２Ｂ 制御部
１１５Ａ 測定部
１１５Ｂ 測定部
１２０Ａ 外部端末
１２０Ｂ 外部端末
１２１Ｂ 通信部
１２２Ａ 制御／解析／保存部
１２２Ｂ 制御／解析／保存部
１２３Ａ 表示／報知部
１２３Ｂ 表示／報知部
１３０Ａ 受信回路
Ａ 生体情報測定装置
Ａ−Ｍ 生体情報測定装置
ａ−ｎ 外部端末
ｂ 外部端末
【図１】
0005652992.tif 000002
【図２】
0005652992.tif 000003
【図３】
0005652992.tif 000004
【図４】
0005652992.tif 000005
【図５】
0005652992.tif 000006
【図６】
0005652992.tif 000007
【図７】
0005652992.tif 000008
【図８】
0005652992.tif 000009
【図９】
0005652992.tif 000010
【図１０】
0005652992.tif 000011
【図１１】
0005652992.tif 000012
【図１２】
0005652992.tif 000013
【図１３】
0005652992.tif 000014
【図１４】
0005652992.tif 000015